(57)【特許請求の範囲】
【請求項１】
乳幼児の睡眠および覚醒の時系列変化に関する複数日分の睡眠状況データを取得する取得部と、
前記複数日分の睡眠状況データの、少なくとも一日毎のズレに基づいて、前記乳幼児の推奨起床日時を算出する算出部と、
前記算出部により算出された前記推奨起床日時を通知する通知メッセージを生成する生成部とを備え、
前記ズレが遅れる方向に生じると、前記推奨起床日時は、前記乳幼児の前回の起床時刻に比べ所定の目標起床時刻に近い値として、前記算出部により算出される、
乳幼児起床支援システム。
【請求項２】
請求項１に記載の乳幼児起床支援システムにおいて、
前記睡眠状況データは、センサが前記乳幼児の前記睡眠および前記覚醒に関する状態を検出することによって生成されるセンサデータと、ユーザが前記乳幼児の前記睡眠および前記覚醒に関する情報を入力することによって生成される入力データとのうちの、少なくとも一方を含む、乳幼児起床支援システム。
【請求項３】
請求項１または２に記載の乳幼児起床支援システムにおいて、
前記睡眠状況データは、前記乳幼児が入眠した入眠日時と、前記乳幼児が起床した起床日時と、前記乳幼児の養育者が前記乳幼児を寝かしつける行為を開始する寝かしつけ開始日時と、前記乳幼児の発声とのうちの、少なくとも一つを表すデータを含む、乳幼児起床支援システム。
【請求項４】
請求項３に記載の乳幼児起床支援システムにおいて、
前記生成部により生成される前記推奨起床日時を通知する前記通知メッセージを、画面および音声のうちの少なくとも一方を介して出力する出力装置をさらに備え、
前記入眠日時および前記寝かしつけ開始日時のいずれか一方の日時のデータが前記睡眠状況データに含まれるとき、前記出力装置は、前記いずれか一方の日時に前記通知メッセージを出力する、乳幼児起床支援システム。
【請求項５】
請求項１から請求項４までのいずれか一項に記載の乳幼児起床支援システムにおいて、
前記複数日分の睡眠状況データは、少なくとも３日分の睡眠状況データである、乳幼児起床支援システム。
【請求項６】
請求項１から請求項５までのいずれか一項に記載の乳幼児起床支援システムにおいて、
前記乳幼児の睡眠環境を変動させることによって前記乳幼児の起床が促されるように、起床促進動作を発動する起床促進装置と、
前記起床促進装置による前記起床促進動作が発動する発動日時を設定する設定部とをさらに備える、乳幼児起床支援システム。
【請求項７】
請求項６に記載の乳幼児起床支援システムにおいて、
前記発動日時を前記推奨起床日時および任意の起床日時のいずれか一方に応じた日時にすることを指示する指示情報を入力可能な入力インタフェースをさらに備え、
前記取得部は、前記入力インタフェースに入力される前記指示情報を取得し、
前記設定部は、前記取得部によって取得される前記指示情報に基づいて前記発動日時を設定する、乳幼児起床支援システム。
【請求項８】
請求項６または請求項７に記載の乳幼児起床支援システムにおいて、
前記起床促進装置は少なくともＬＥＤを含み、
前記起床促進動作は、前記発動日時に前記ＬＥＤの発光が開始されることによって、前記睡眠環境を変動させる動作である、乳幼児起床支援システム。
【請求項９】
請求項８に記載の乳幼児起床支援システムにおいて、
前記発動日時に前記発光が開始される前記ＬＥＤから出射される光の色温度は、４２００Ｋ以上６５００Ｋ以下である、乳幼児起床支援システム。
【請求項１０】
請求項９に記載の乳幼児起床支援システムにおいて、
前記ＬＥＤから出射される前記光の輝度は、前記発動日時から時間の経過とともに増大する、乳幼児起床支援システム。
【発明の詳細な説明】
【技術分野】
【０００１】
本発明は、乳幼児起床支援システムに関する。
【背景技術】
【０００２】
特許文献１には、乳幼児の睡眠の発達段階に応じて的確な育児アドバイスを提供するコンピュータプログラムが開示されている。睡眠の発達段階は睡眠スコアの大きさに応じて区分され、２４時間の概日リズムの強さが睡眠スコアとして算出される。このコンピュータプログラムによると、乳幼児の睡眠については、規則正しく心身を休めることが、育児アドバイスとして提供される。
【先行技術文献】
【特許文献】
【０００３】
【特許文献１】日本国特開２０１９−１０４１７号公報
【発明の概要】
【発明が解決しようとする課題】
【０００４】
特許文献１に開示されたコンピュータプログラムによる育児アドバイスを受けた乳幼児の養育者は、理想的な概日リズムでの睡眠を乳幼児に強要する可能性があるという問題がある。
【課題を解決するための手段】
【０００５】
本発明の第１の態様によると、乳幼児起床支援システムは、乳幼児の睡眠および覚醒の時系列変化に関する複数日分の睡眠状況データを取得する取得部と、前記複数日分の睡眠状況データの、少なくとも一日毎のズレに基づいて、前記乳幼児の推奨起床日時を算出する算出部と、前記算出部により算出された前記推奨起床日時を通知する通知メッセージを生成する生成部とを備え、前記ズレが遅れる方向に生じると、前記推奨起床日時は、前記乳幼児の前回の起床時刻に比べ所定の目標起床時刻に近い値として、前記算出部により算出される。
本発明の第２の態様によると、第１の態様の乳幼児起床支援システムにおいて、前記睡眠状況データは、センサが前記乳幼児の前記睡眠および前記覚醒に関する状態を検出することによって生成されるセンサデータと、ユーザが前記乳幼児の前記睡眠および前記覚醒に関する情報を入力することによって生成される入力データとのうちの、少なくとも一方を含むのが好ましい。
本発明の第３の態様によると、第１の態様または第２の態様の乳幼児起床支援システムにおいて、前記睡眠状況データは、前記乳幼児が入眠した入眠日時と、前記乳幼児が起床した起床日時と、前記乳幼児の養育者が前記乳幼児を寝かしつける行為を開始する寝かしつけ開始日時と、前記乳幼児の発声とのうちの、少なくとも一つを表すデータを含むのが好ましい。
本発明の第４の態様によると、第３の態様の乳幼児起床支援システムにおいて、前記生成部により生成される前記推奨起床日時を通知する前記通知メッセージを、画面および音声のうちの少なくとも一方を介して出力する出力装置をさらに備えるのが好ましい。前記入眠日時および前記寝かしつけ開始日時のいずれか一方の日時のデータが前記睡眠状況データに含まれるとき、前記出力装置は、前記いずれか一方の日時に前記通知メッセージを出力する。
本発明の第５の態様によると、第１の態様から第４の態様までのいずれかの態様の乳幼児起床支援システムにおいて、前記複数日分の睡眠状況データは、少なくとも３日分の睡眠状況データであるのが好ましい。
本発明の第６の態様によると、第１の態様から第５の態様までのいずれかの態様の乳幼児起床支援システムにおいて、前記乳幼児の睡眠環境を変動させることによって前記乳幼児の起床が促されるように、起床促進動作を発動する起床促進装置と、前記起床促進装置による前記起床促進動作が発動する発動日時を設定する設定部とをさらに備えるのが好ましい。
本発明の第７の態様によると、第６の態様の乳幼児起床支援システムにおいて、前記発動日時を前記推奨起床日時および任意の起床日時のいずれか一方に応じた日時にすることを指示する指示情報を入力可能な入力インタフェースをさらに備えるのが好ましい。前記取得部は、前記入力インタフェースに入力される前記指示情報を取得する。前記設定部は、前記取得部によって取得される前記指示情報に基づいて前記発動日時を設定する。
本発明の第８の態様によると、第６の態様または第７の態様の乳幼児起床支援システムにおいて、前記起床促進装置は少なくともＬＥＤを含み、前記起床促進動作は、前記発動日時に前記ＬＥＤの発光が開始されることによって、前記睡眠環境を変動させる動作であるのが好ましい。
本発明の第９の態様によると、第８の態様の乳幼児起床支援システムにおいて、前記発動日時に前記発光が開始される前記ＬＥＤから出射される光の色温度は、４２００Ｋ以上６５００Ｋ以下であるのが好ましい。
本発明の第１０の態様によると、第９の態様の乳幼児起床支援システムにおいて、前記ＬＥＤから出射される前記光の輝度は、前記発動日時から時間の経過とともに増大するのが好ましい。
【発明の効果】
【０００６】
本発明によれば、乳幼児およびその乳幼児の養育者のいずれにも負担の少ない乳幼児のスリープトレーニングを実現できる可能性が高いという効果が得られる。
【図面の簡単な説明】
【０００７】
【図１】図１は、本発明の一実施の形態における乳幼児起床支援システムの構成を示す図である。
【図２】図２は、乳幼児起床支援システムが有する入力インタフェースおよび出力装置の構成および表示メッセージの例を示す図である。
【図３】図３は、乳幼児の睡眠および覚醒の時系列変化に関する睡眠状況データおよびそれに対応するグラフを示す図である。
【図４】図４は、乳幼児の複数日分の睡眠状況データの、一日毎のズレを例示する図である。
【図５】図５は、図４に例示する乳幼児の複数日分の睡眠状況データの自己相関係数算出例を示す図である。
【図６】図６は、乳幼児起床支援システムでコンピュータプログラムが走行することによって実行される乳幼児起床支援処理の一例を示す図である。
【図７】図７は、起床促進装置が、乳幼児の睡眠環境を変動させることによって乳幼児の起床を促す起床促進動作の一例を示す図である。
【図８】図８は、乳幼児起床支援システムで走行するコンピュータプログラムの製品供給態様を例示する図である。
【図９】図９は、変形例の乳幼児起床支援システムが有する入力インタフェースおよび出力装置の構成例を示す図である。
【図１０】図１０は、変形例の乳幼児起床支援システムの取得部によって、乳幼児の発声データが、睡眠状況データの一種として取得される様子を示す図である。
【図１１】図１１は、変形例の乳幼児起床支援システムを構成する電子機器および起床促進装置のそれぞれの構成を示す図である。
【図１２】図１２は、図１１に示す電子機器が有する入力インタフェースおよび出力装置の構成および表示内容の例を示す図である。
【図１３】図１３は、変形例の乳幼児起床支援システムを構成するサーバ、電子機器および起床促進装置を示すとともに、それぞれの構成を示す図である。
【発明を実施するための形態】
【０００８】
図１は、本発明の一実施の形態における乳幼児起床支援システム１０の構成を示す図である。乳幼児起床支援システム１０は、プロセッサ１１、メモリ１２、クロック回路１３、出力装置１４、入力インタフェース１５、ストレージ１６および起床促進装置７０を有する。プロセッサ１１は、メモリ１２に格納されているコンピュータプログラムを起動することによって、取得部１１１と算出部１１２と生成部１１３と設定部１１４とを、論理的に有する。
【０００９】
取得部１１１は、入力インタフェース１５を介して入力される複数日分の睡眠状況データを、これを蓄積するストレージ１６から取得する。なお、ストレージ１６は、乳幼児起床支援システム１０の外部記憶装置であってもよい。睡眠状況データは、乳幼児の睡眠および覚醒の時系列変化に関するデータであり、生体センサが乳幼児の睡眠および覚醒に関する状態を検出することによって生成されるセンサデータと、その乳幼児の養育者等のユーザが乳幼児の睡眠および覚醒に関する情報を入力することによって生成されるユーザ入力データとのうちの、いずれか一方または両方を含む。センサデータは、例えば脳波、体温、心拍数、呼吸、脈拍および／または筋電位のデータである。本実施の形態においては、睡眠状況データとしてユーザ入力データが用いられることとする。後述するように、乳幼児が入眠した際および起床した際にユーザが入力インタフェース１５を操作することによって、入力インタフェース１５の操作信号と、クロック回路１３により供給される時刻データとが対応付けられたデータが、乳幼児が入眠した入眠日時および乳幼児が起床した起床日時のデータとして、すなわち睡眠状況データとしてストレージ１６に蓄積される。
【００１０】
取得部１１１は、さらに、後述する起床促進装置７０による起床促進動作が発動する発動日時として、推奨起床日時および任意の起床日時のいずれか一方が設定されることを指示する指示情報を、入力インタフェース１５を介して取得する。算出部１１２は、後述するように、取得部１１１により取得され、ストレージ１６に蓄積された睡眠状況データの、少なくとも一日毎のズレに基づいて、乳幼児の推奨起床日時を算出する。生成部１１３は、算出部１１２により算出された乳幼児の推奨起床日時を通知する通知メッセージを生成する。設定部１１４は、後述する起床促進装置７０による起床促進動作が発動する発動日時を、取得部１１１によって取得された指示情報に基づいて設定する。
【００１１】
上述したように、入力インタフェース１５には、睡眠状況データが入力される。入力された睡眠状況データは、ストレージ１６に蓄積される。出力装置１４は、生成部１１３により生成された通知メッセージを、画面表示および／または音声発信により出力する。本実施の形態において、出力装置１４は、通知メッセージを、画面表示により出力する。
【００１２】
起床促進装置７０は、乳幼児の睡眠環境を変動させることによって、乳幼児の起床を促す起床促進動作を、設定部１１４により設定された発動日時に発動する。睡眠環境は、光、音、風、温湿度および／または振動により構成され、それぞれ、発光、鳴動、送風、温湿度調節および／または揺動により変動する。本実施の形態においては、起床促進装置７０は少なくともＬＥＤを含む。起床促進装置７０により発動される起床促進動作は、設定部１１４により設定された発動日時にＬＥＤの発光が開始されることによって、乳幼児の睡眠環境を変動させる動作である。
【００１３】
図２は、乳幼児起床支援システム１０が有する入力インタフェース１５および出力装置１４の構成および表示メッセージの例を示す図である。図２（Ａ）に示す例において、乳幼児起床支援システム１０が有する出力装置１４は、入力インタフェース１５と一体的に構成されたタッチパネル１４１であり、さらにタッチパネル１４１とは別に操作用のボタン１５１，１５２，１５３，１５６および１５７が入力インタフェース１５として設けられている。
【００１４】
図２（Ｂ）に示す例において、通知メッセージ１４１１，１４１２および１４１３がタッチパネル１４１に表示されている。通知メッセージ１４１１は、予めユーザにより設定されたＬＥＤ発光開始日時設定値が、２０２０年８月２１日（金）７：３０であることを表している。こうして設定された日時にＬＥＤが発光を開始し、ＬＥＤから出射される光が乳幼児に照射されることにより、乳幼児の起床を促す起床促進動作が発動されることが予定されていることになる。
【００１５】
通知メッセージ１４１２は、プロセッサ１１の生成部１１３により生成され、乳幼児の推奨起床日時が、２０２０年８月２１日（金）７：１５であることを表している。通知メッセージ１４１３は、ＬＥＤ発光開始日時設定値を推奨起床日時に変更するか否かについての問い合わせと、その問い合わせに対する回答の選択肢とを表している。ユーザは、ボタン１５２または１５３を押して操作することにより、「はい」および「いいえ」という回答の選択肢のうちのいずれか一方に、矩形枠１４１４を合わせ、ボタン１５１を押して回答を決定する。「はい」という回答が選択されると、ＬＥＤ発光開始日時設定値は、当初の２０２０年８月２１日（金）７：３０から、推奨起床日時である２０２０年８月２１日（金）７：１５に変更される。
【００１６】
なお、ＬＥＤ発光開始日時設定値は、推奨起床日時よりも所定時間Ｔだけ前の日時に設定されることとしてもよい。これは、ＬＥＤ発光開始と同時に乳幼児が起床することを前提としておらず、ＬＥＤ発光開始から所定時間Ｔが経過した後の日時を乳幼児の推奨起床日時とする考え方に基づいている。
【００１７】
ユーザは、ボタン１５６および１５７を押すことにより、それぞれ乳幼児の睡眠および覚醒に関する情報を入力することができる。乳幼児が入眠したタイミングでユーザがボタン１５６を押すと操作信号が発生し、その操作信号とクロック回路１３により供給される時刻データとが対応付けられたデータが生成され、そのデータが、乳幼児が入眠した入眠日時のデータとして入力される。乳幼児が起床したタイミングでユーザがボタン１５７を押すと操作信号が発生し、その操作信号とクロック回路１３により供給される時刻データとが対応付けられたデータが生成され、そのデータが、乳幼児が起床した起床日時のデータとして入力される。
【００１８】
図３は、乳幼児の睡眠および覚醒の時系列変化に関する睡眠状況データ８０およびそれに対応するグラフ８１を示す図である。ユーザにより、上述したボタン１５６が押された時刻以降の乳幼児は睡眠しており、その後、上述したボタン１５７が押された時刻以降の乳幼児は覚醒している。乳幼児が睡眠しているときの睡眠状況フラグの値を１、乳幼児が覚醒しているときの睡眠状況フラグの値を０でそれぞれ表すと、睡眠状況データ８０は、図３（Ａ）に示されるように、睡眠状況フラグの値０と１とが時系列に並ぶことで表され、睡眠状況フラグの値が１から０に変化する時刻に乳幼児は起床する。このようにして得られた睡眠状況データ８０が、上述したようにストレージ１６に蓄積される。
【００１９】
睡眠状況データ８０をグラフ８１で表したのが図３（Ｂ）である。グラフ８１は、覚醒に対応する値０または睡眠に対応する値１を取る睡眠状況を縦軸とし、時刻を横軸とする座標平面に表される。グラフ８１において、睡眠状況の値が１から０に変化する時刻は、乳幼児の起床日時を表す。
【００２０】
図４は、乳幼児の複数日分の睡眠状況データ８０の、一日毎のズレを例示する図である。図４（Ａ）に示す例によると、ある乳幼児が、２０２０年８月１７日には朝６：３０に起床した。その乳幼児は、翌日の８月１８日には朝６：４５に起床し、起床時刻が前日よりも１５分遅い。その乳幼児は、さらに翌日の８月１９日には朝７：００に起床し、起床時刻が前日よりもさらに１５分遅い。その乳幼児は、さらに翌日の８月２０日には朝７：１５に起床し、起床時刻が前日よりもさらに１５分遅い。その乳幼児の起床時刻は一日毎に１５分遅くなるズレが生じている。すなわち、その乳幼児の起床時刻には一日毎に１５分ずつのズレが生じ、この傾向が継続すると、その乳幼児は、８月２１日には朝７：３０に起床し、起床時刻が前日よりもさらに１５分遅くなる可能性がある。
【００２１】
人間の概日リズムは２４時間よりも少し長いことが知られており、乳幼児の場合は養育者等による介入が無いと、図４（Ａ）に示す例のように、２４時間周期からのズレが繰り返されるフリーランと呼ばれる事象が生じ得る。フリーランが継続すると、その乳幼児は昼夜が逆転した生活となる可能性があり、その場合はその乳幼児にも養育者にも負担がかかることになる。したがって、こうしたフリーランの傾向が早期に検出され、乳幼児の起床時刻の矯正が促されることが好ましい。
【００２２】
図４（Ａ）に示す例において、２０２０年８月１７日〜２１日をそれぞれ１〜５日目とし、睡眠状況データ８０に基づきプロセッサ１１の算出部１１２によって行われる、５日目における乳幼児の推奨起床日時の第１の算出処理を説明する。なお、乳幼児の目標起床時刻７：００があらかじめ養育者等のユーザにより初期設定されているものとする。このとき、１日前にあたる４日目における乳幼児の起床時刻、すなわち前回の起床時刻は７：１５であり、これは目標起床時刻７：００よりも後の時刻である。そのような場合に、過去４日間、すなわち１〜４日目の起床時刻のズレが継続的に発生する傾向にあるか否かが判定される。
【００２３】
２日目における乳幼児の起床時刻は、１日目と比べて１５分遅くなり、３日目における乳幼児の起床時刻は、１日目と比べて３０分遅くなり、４日目における乳幼児の起床時刻は、１日目と比べて４５分遅くなり、過去４日間における起床時刻の一日毎のズレが１５分ずつ３回連続でいずれも遅れる方向に生じている。起床時刻の一日毎のズレが３回連続で生じていることを契機として、算出部１１２は、過去４日間における起床時刻のズレが継続的に発生する傾向にあると判定し、乳幼児の推奨起床日時を、目標起床時刻７：００に近づけるように、８月２１日の１日前にあたる８月２０日の乳幼児の起床時刻、すなわち前回の起床時刻７：１５よりも１５分早めることにより、８月２１日７：００と算出する。
【００２４】
なお、早める時間は１５分に限られず、他の長さの時間であってもよい。例えば、８月２１日の早める時間を８分として推奨起床日時を８月２１日７：０７とし、翌日８月２２日には、さらに早める時間を８分として推奨起床日時を８月２２日６：５９とすることとしてもよい。また、過去３日間における起床時刻の一日毎のズレが２回連続で生じていることを契機として、算出部１１２は、起床時刻のズレが継続的に発生する傾向にあると判定することとしてもよい。
【００２５】
図４（Ｂ）に示す例によると、ある乳幼児が、２０２０年７月１３日には朝６：３０に起床した。その乳幼児は、翌日の７月１４日には朝６：５５に起床し、起床時刻が前日よりも２５分遅い。その乳幼児は、さらに翌日の７月１５日には朝６：５０に起床し、起床時刻が前日よりも５分早い。その乳幼児は、さらに翌日の７月１６日には朝７：２０に起床し、起床時刻が前日よりも２５分遅い。その乳幼児は、さらに翌日の７月１７日には朝７：１５に起床し、起床時刻が前日よりも５分早い。図４（Ｂ）に示す例においては、図４（Ａ）に示す例と異なり、起床時刻の一日毎のズレが３回連続で生じているわけではないが、過去５日間全体として乳幼児の起床時刻のズレが継続的に発生する傾向が見られる。この傾向が継続すると、その乳幼児は、７月１８日には目標起床時刻７：００よりもかなり後の時刻に起床する可能性がある。
【００２６】
図４（Ｂ）に示す例において、２０２０年７月１３日〜１８日をそれぞれ１〜６日目とし、睡眠状況データ８０に基づきプロセッサ１１の算出部１１２によって行われる、６日目における乳幼児の推奨起床日時の第２の算出処理を説明する。なお、乳幼児の目標起床時刻７：００があらかじめ初期設定されているものとする。このとき、１日前にあたる５日目における乳幼児の起床時刻、すなわち前回の起床時刻は７：１５であり、これは目標起床時刻７：００よりも後の時刻である。そのような場合に、過去５日間、すなわち１〜５日目の起床時刻のズレが継続的に発生する傾向にあるか否かが判定される。
【００２７】
過去５日間の起床時刻を基に、隣接する２日分の起床時刻の移動平均値を算出することができる。１日目の起床時刻６：３０と２日目の起床時刻６：５５との移動平均値は６：４３頃である。これを起床時刻の第１移動平均値とする。第１移動平均値に対応する１回目の移動平均のウィンドウは１日目および２日目を含む。２日目の起床時刻６：５５と３日目の起床時刻６：５０との移動平均値は６：５３頃である。これを起床時刻の第２移動平均値とする。第２移動平均値に対応する２回目の移動平均のウィンドウは２日目および３日目を含む。第１移動平均値に対応する１回目の移動平均のウィンドウと第２移動平均値に対応する２回目の移動平均のウィンドウとには、一日分のズレがある。
【００２８】
３日目の起床時刻６：５０と４日目の起床時刻７：２０との移動平均値は７：０５である。これを起床時刻の第３移動平均値とする。第３移動平均値に対応する３回目の移動平均のウィンドウは３日目および４日目を含む。第２移動平均値に対応する２回目の移動平均のウィンドウと第３移動平均値に対応する３回目の移動平均のウィンドウとには、一日分のズレがある。４日目の起床時刻７：２０と５日目の起床時刻７：１５との移動平均値は７：２３頃である。これを起床時刻の第４移動平均値とする。第４移動平均値に対応する４回目の移動平均のウィンドウは４日目および５日目を含む。第３移動平均値に対応する３回目の移動平均のウィンドウと第４移動平均値に対応する４回目の移動平均のウィンドウとには、一日分のズレがある。
【００２９】
起床時刻の第２移動平均値は、第１移動平均値に比べて約１０分遅く、起床時刻の第３移動平均値は第２移動平均値に比べて約１２分遅く、起床時刻の第４移動平均値は第３移動平均値に比べて約１８分遅い。過去５日間における４回の移動平均算出の結果によると、起床時刻の移動平均値の一日毎のズレが３回連続でいずれも遅れる方向に生じている。起床時刻の移動平均値の一日毎のズレが３回連続で生じていることを契機として、算出部１１２は、過去５日間における起床時刻のズレが継続的に発生する傾向にあると判定し、乳幼児の推奨起床日時を、目標起床時刻７：００に近づけるように、１日前にあたる７月１７日の起床時刻、すなわち前回の起床時刻７：１５よりも１５分早めることにより、７月１８日７：００と算出する。
【００３０】
なお、早める時間は１５分に限られず、他の長さの時間であってもよい。例えば、７月１８日の早める時間を８分として推奨起床日時を７月１８日７：０７とし、翌日７月１９日には、さらに早める時間を８分として推奨起床日時を７月１９日６：５９とすることとしてもよい。また、過去４日間における起床時刻の一日毎のズレが２回連続で生じていることを契機として、算出部１１２は、起床時刻のズレが継続的に発生する傾向にあると判定することとしてもよい。
【００３１】
図５は、図４に例示する乳幼児の複数日分の睡眠状況データ８０の自己相関係数算出例を示す図である。図５を用いて、図４に示す５日目における乳幼児の推奨起床日時の第３の算出処理を説明する。推奨起床日時の第３の算出処理は、睡眠状況データ８０の自己相関係数を用いて、プロセッサ１１の算出部１１２により行われる。図５（Ａ）は、１日目から３日目までの乳幼児の睡眠および覚醒の時系列変化に関する睡眠状況データ８０に対応するグラフ８３を示す。１日目から３日目までの乳幼児の入眠日時および起床日時がそれぞれ常時一定の時刻であれば、睡眠状況データ８０のタイムラグを１日（２４時間）とする自己相関係数を算出すると、自己相関係数の値は１になる。タイムラグを少しずつ増加させると、自己相関係数の値は１よりも小さい値になる。本実施の形態では、連続する３日分の睡眠状況データ８０の自己相関係数が算出されることとする。
【００３２】
図５（Ｂ）は、図４（Ａ）に対応する乳幼児の２０２０年８月１７日から８月２０日までの４日分の睡眠状況データ８０を基に、１〜３日目までの連続する３日分の睡眠状況データ８０の自己相関係数と、２〜４日目までの連続する３日分の睡眠状況データ８０の自己相関係数とが算出された結果が記載されたテーブル９１を示す。それぞれの自己相関係数が、タイムラグを１日すなわち２４時間から５分ずつ増加して２４時間３０分までのそれぞれについて算出された結果を、テーブル９１は示している。
【００３３】
テーブル９１によると、１〜３日目までの３日間の自己相関係数の値は、タイムラグが２４時間のとき０．９５７、タイムラグが２４時間５分のとき０．９７２、タイムラグが２４時間１０分のとき０．９８６、タイムラグが２４時間１５分のとき１．０００、タイムラグが２４時間２０分のとき０．９８６、タイムラグが２４時間２５分のとき０．９７１、タイムラグが２４時間３０分のとき０．９５７である。
【００３４】
テーブル９１によると、２〜４日目までの３日間の自己相関係数の値は、タイムラグが２４時間のとき０．９５７、タイムラグが２４時間５分のとき０．９７２、タイムラグが２４時間１０分のとき０．９８６、タイムラグが２４時間１５分のとき１．０００、タイムラグが２４時間２０分のとき０．９８６、タイムラグが２４時間２５分のとき０．９７１、タイムラグが２４時間３０分のとき０．９５７である。
【００３５】
テーブル９１によると、１〜３日目までの３日間の自己相関係数の値および２〜４日目までの３日間の自己相関係数の値は、いずれもタイムラグが１日すなわち２４時間よりも大きい２４時間１５分のとき最大値１．０００である。自己相関係数の値が最大値を示すタイムラグが２４時間よりも大きい値を連続することに基づいて、算出部１１２は、過去４日間における起床時刻のズレが継続的に発生する傾向にあると判定し、５日目の乳幼児の推奨起床日時を、目標起床時刻７：００に近づけるように、算出する。１〜３日目までおよび２〜４日目までの自己相関係数の値が最大値を示すタイムラグが２回連続して２４時間１５分であり、１日当たり１５分ずつの起床時刻のズレが連続して発生している。これを考慮し、例えば、４日目の８月２０日の起床時刻７：１５よりも１５分早めることにより、推奨起床日時は８月２１日７：００と算出される。
【００３６】
図５（Ｃ）は、図４（Ｂ）に対応する乳幼児の２０２０年７月１３日から７月１６日までの４日分の睡眠状況データ８０を基に、１〜３日目までの連続する３日分の睡眠状況データ８０の自己相関係数と、２〜４日目までの連続する３日分の睡眠状況データ８０の自己相関係数とが算出された結果が記載されたテーブル９２を示す。それぞれの自己相関係数が、タイムラグを１日すなわち２４時間から５分ずつ増加して２４時間３０分までのそれぞれについて算出された結果を、テーブル９２は示している。
【００３７】
テーブル９２によると、１〜３日目までの３日間の自己相関係数の値は、タイムラグが２４時間のとき０．８８２０、タイムラグが２４時間５分のとき０．８８６７、タイムラグが２４時間１０分のとき０．８９１３、タイムラグが２４時間１５分のとき０．８９５９、タイムラグが２４時間２０分のとき０．９００６、タイムラグが２４時間２５分のとき０．９０５２、タイムラグが２４時間３０分のとき０．８９５９である。
【００３８】
テーブル９２によると、２〜４日目までの３日間の自己相関係数の値は、タイムラグが２４時間のとき０．９０５２、タイムラグが２４時間５分のとき０．９０９７、タイムラグが２４時間１０分のとき０．９１４３、タイムラグが２４時間１５分のとき０．９１８８、タイムラグが２４時間２０分のとき０．９１８７、タイムラグが２４時間２５分のとき０．９０９３、タイムラグが２４時間３０分のとき０．８９０６である。
【００３９】
テーブル９２によると、１〜３日目までの３日間の自己相関係数の値は、タイムラグが１日すなわち２４時間よりも大きい２４時間２５分のとき最大値０．９０５２である。２〜４日目までの３日間の自己相関係数の値は、タイムラグが１日すなわち２４時間よりも大きい２４時間１５分のとき最大値０．９１８８である。自己相関係数の値が最大値を示すタイムラグが２４時間よりも大きい値を連続することに基づいて、算出部１１２は、過去４日間における起床時刻のズレが継続的に発生する傾向にあると判定し、５日目の乳幼児の推奨起床日時を、目標起床時刻７：００に近づけるように、算出する。１〜３日目までおよび２〜４日目までの自己相関係数の値が最大値を示すタイムラグがそれぞれ２４時間２５分および２４時間１５分であり、平均して１日当たり２０分ずつの起床時刻のズレが連続して発生している。これを考慮し、例えば、４日目の７月１６日の起床時刻７：２０よりも２０分早めることにより、推奨起床日時は７月１７日７：００と算出される。
【００４０】
図６は、乳幼児起床支援システム１０でコンピュータプログラムが走行することによって実行される乳幼児起床支援処理の一例を示す図である。乳幼児起床支援システム１０のプロセッサ１１は、メモリ１２に格納されているコンピュータプログラムを起動し、図６に示す乳幼児起床支援処理を実行することによって、取得部１１１、算出部１１２、生成部１１３および設定部１１４として機能する。本実施の形態において、この乳幼児起床支援処理は、例えば、上述したＬＥＤ発光開始日時設定値がユーザにより設定されるタイミング、或いはユーザがボタン１５７を押すことにより乳幼児が起床したという情報を入力したタイミングで実行される。
【００４１】
図６に示す乳幼児起床支援処理が開始されると、ステップＳ１１００において、プロセッサ１１の算出部１１２は、乳幼児の複数日分の睡眠状況データをストレージ１６から読み出す。ストレージ１６には、プロセッサ１１の取得部１１１が入力インタフェース１５を介して毎日取得した、乳幼児の複数日分の睡眠状況データが蓄積されている。
【００４２】
ステップＳ１１１０において、算出部１１２は、乳幼児の前回の起床日時が、目標起床時刻よりも後の時刻であるか否かを判定する。なお、乳幼児の前回の起床日時に代えて、或いは乳幼児の前回の起床日時とともに、乳幼児の前回よりもさらに過去の起床日時が用いられることとしてもよい。目標起床時刻は、上述したようにあらかじめ設定され、例えば７：００である。否定判定が得られた場合、この乳幼児起床支援処理は終了する。肯定判定が得られた場合、この乳幼児起床支援処理はステップＳ１１２０へ進む。
【００４３】
ステップＳ１１２０において、算出部１１２は、乳幼児の複数日分の睡眠状況データの一日毎のズレを算出する。ステップＳ１１３０において、算出部１１２は、乳幼児の複数日分の睡眠状況データの一日毎のズレが、例えば３回連続で生じるなど、継続的に発生しているか否かを判定する。否定判定が得られた場合、この乳幼児起床支援処理は終了する。肯定判定が得られた場合、この乳幼児起床支援処理はステップＳ１１４０へ進む。
【００４４】
ステップＳ１１４０において、算出部１１２は、乳幼児の起床時刻を、前回の起床時刻よりも目標起床時刻に近づけるように、乳幼児の推奨起床日時を算出する。ステップＳ１１５０において、プロセッサ１１の生成部１１３は、算出部１１２により算出された乳幼児の推奨起床日時を通知する通知メッセージ１４１２を生成する。
【００４５】
ステップＳ１１６０において、生成部１１３は、通知メッセージ１４１２を出力装置１４に出力する通知タイミングが到来したか否かを判定する。通知タイミングは、例えば、乳幼児の入眠日時にユーザがボタン１５６を押すことにより、乳幼児が入眠したという情報を入力したタイミングである。乳幼児が入眠したタイミングでユーザがボタン１５６を押すと操作信号が発生し、その操作信号とクロック回路１３により供給される時刻データとが対応付けられた、乳幼児の入眠日時のデータが、睡眠状況データ８０として取得部１１１により取得されたことを、生成部１１３が検出することによって、通知タイミングが到来したことが肯定判定され、この乳幼児起床支援処理はステップＳ１１７０へ進む。否定判定の場合は、肯定判定が得られるまで、ステップＳ１１６０の判定処理が繰り返される。
【００４６】
ステップＳ１１７０において、生成部１１３は、通知メッセージ１４１２を出力装置１４に出力させる。本実施の形態において、出力装置１４は、図２（Ｂ）に示すように、タッチパネル１４１に表示される画面を介して通知メッセージ１４１２を出力する。出力装置１４は、スピーカーから発せられる音声を介して通知メッセージ１４１２を出力することとしてもよい。生成部１１３は、乳幼児の推奨起床日時を通知する通知メッセージ１４１２とともに、予めユーザにより設定された起床促進装置７０による起床促進動作が発動する発動日時の設定値を通知する通知メッセージ１４１１と、起床促進動作発動日時に推奨起床日時を設定するか否かについての問い合わせを通知する通知メッセージ１４１３とを出力装置１４に出力させる。本実施の形態において、起床促進動作発動日時は、例えばＬＥＤ発光開始日時であり、図２（Ｂ）に示す例では、通知メッセージ１４１３として、ＬＥＤ発光開始日時設定値を乳幼児の推奨起床日時に変更するか否かについての問い合わせがタッチパネル１４１に表示される。
【００４７】
ステップＳ１１７０において、通知メッセージ１４１１、１４１２および１４１３は、ステップＳ１１６０にて到来したタイミングで出力されるため、ボタン１５６を押したユーザに視認され得る。ユーザは、図２を用いて上述したように、ボタン１５２または１５３およびボタン１５１を押すことにより、通知メッセージ１４１３により問われたＬＥＤ発光開始日時設定値を乳幼児の推奨起床日時に変更するか否かについての回答を入力することができる。ユーザがボタン１５２および１５１を押すと、ＬＥＤ発光開始日時設定値を乳幼児の推奨起床日時に変更することを指示する指示情報が入力され、ユーザがボタン１５３および１５１を押すと、ＬＥＤ発光開始日時設定値を予めユーザにより設定された任意の起床日時のまま変更しないことを指示する指示情報が入力される。こうして、プロセッサ１１の取得部１１１は、起床促進装置７０による起床促進動作が発動する発動日時として、乳幼児の推奨起床日時および任意の起床日時のいずれか一方が設定されることを指示する指示情報を、入力インタフェース１５を介して取得する。
【００４８】
ステップＳ１１８０において、取得部１１１は、起床促進動作発動日時に乳幼児の推奨起床日時を設定する指示情報を取得したか否かを判定する。取得部１１１によって、起床促進動作発動日時に任意の起床日時が設定されることを指示する指示情報が取得された場合、ステップＳ１１８０では否定判定が得られ、この乳幼児起床支援処理は終了する。取得部１１１によって、起床促進動作発動日時に乳幼児の推奨起床日時が設定されることを指示する指示情報が取得された場合、ステップＳ１１８０では肯定判定が得られ、この乳幼児起床支援処理はステップＳ１１９０へ進む。
【００４９】
ステップＳ１１９０において、プロセッサ１１の設定部１１４は、取得部１１１によって取得された指示情報に基づいて、起床促進装置７０による起床促進動作が発動する発動日時に、乳幼児の推奨起床日時を設定する。ステップＳ１１９０の処理が完了すると、この乳幼児起床支援処理は終了する。
【００５０】
なお、上述したようにＬＥＤ発光開始日時設定値は、推奨起床日時よりも所定時間Ｔだけ前の日時に設定されることとしてもよい。その場合、ＬＥＤ発光開始日時設定値を乳幼児の推奨起床日時に変更することを指示する指示情報が、取得部１１１によって取得されると、設定部１１４は、その指示情報に基づいて、起床促進装置７０による起床促進動作が発動する発動日時に、乳幼児の推奨起床日時よりも所定時間Ｔだけ前の日時を設定する。
【００５１】
図７は、起床促進装置７０が、乳幼児１の睡眠環境を変動させることによって乳幼児１の起床を促す起床促進動作の一例を示す図である。本実施の形態における乳幼児起床支援システム１０に搭載される起床促進装置７０はＬＥＤを含み、乳幼児１の起床を促す起床促進動作として、ＬＥＤが発光する。起床促進動作発動日時にＬＥＤの発光が開始されることにより、起床促進装置７０から光７００が乳幼児１に照射され、乳幼児１の睡眠環境を変動させることができる。なお、起床促進装置７０は、スピーカー、送風機、冷却装置、加湿器、減圧装置、刺激発生装置、或いは加振装置等、乳幼児１の睡眠環境を変動させることができれば、ＬＥＤに限られない。
【００５２】
日本国特開２０２０−０９８８５５号公報によると、光の色温度はメラトニン生成抑制効果に関係していると記載されていることを考慮すると、本実施の形態における乳幼児起床支援システム１０の起床促進装置７０から乳幼児１へ照射される光の色温度は、乳幼児１にとって負担の少ない起床を促すことができるように、朝から昼までの午前中の自然光と同程度であることが好ましい。国際公開第２０１３／０６１９４２号によると、午前７：００の自然光の色温度は４２００Ｋとされており、日本国特開２０２０−０８７８９７号公報によると、正午の自然光としての昼光色の色温度が６５００Ｋとされている。そこで、起床促進動作発動日時に発光が開始されるＬＥＤから出射され、乳幼児１へ照射される光７００の色温度は、４２００Ｋ以上６５００Ｋ以下であるのが好ましい。また、午前中の自然光の輝度変化を模擬して、ＬＥＤから出射され、乳幼児１へ照射される光７００の輝度は、起床促進動作発動日時にＬＥＤの発光が開始されてから時間の経過とともに増大することが好ましい。なお、起床促進動作発動日時が乳幼児１の推奨起床日時よりも所定時間Ｔだけ前の日時に設定されている場合においては、起床促進動作発動日時に発光を開始したＬＥＤの輝度が徐々に増大し、乳幼児１の推奨起床日時に最大の輝度値に達するようにすることも可能である。
【００５３】
図８は、乳幼児起床支援システム１０で走行するコンピュータプログラムの製品供給態様を例示する図である。乳幼児起床支援システム１０で走行するコンピュータプログラムを、ＣＤ−ＲＯＭやＵＳＢメモリ等の記録媒体５０や、インターネット等の通信ネットワーク３０を流れるデータ信号を通じて乳幼児起床支援システム１０へ提供することができる。
【００５４】
コンピュータプログラム提供サーバ３５は、上述したコンピュータプログラムを提供するサーバコンピュータであり、ハードディスク等の記憶装置にそのコンピュータプログラムを格納する。通信ネットワーク３０は、インターネット、無線ＬＡＮ、電話網、或いは専用線等である。コンピュータプログラム提供サーバ３５は記憶装置に格納されたコンピュータプログラムを読み出し、データ信号として搬送波に載せ、通信ネットワーク３０を介して乳幼児起床支援システム１０に送信する。このように、コンピュータプログラムは、記録媒体やデータ信号などの種々の形態のコンピュータ読み込み可能なコンピュータプログラム製品として供給され得る。
【００５５】
本実施の形態における乳幼児起床支援システム１０によれば、以下の作用効果が得られる。
【００５６】
（１）乳幼児起床支援システム１０は、取得部１１１と算出部１１２と生成部１１３とを含むプロセッサ１１を有する。取得部１１１は、乳幼児１の睡眠および覚醒の時系列変化に関する複数日分の睡眠状況データ８０を取得する。算出部１１２は、複数日分の睡眠状況データ８０の、少なくとも一日毎のズレに基づいて、乳幼児１の推奨起床日時を算出する。生成部１１３は、算出部１１２により算出された推奨起床日時を通知する通知メッセージ１４１２を生成する。推奨起床日時の通知メッセージは、睡眠状況データ８０のズレが累積して大きくなる前に乳幼児１の起床時刻の矯正を、乳幼児１の養育者等のユーザに促すことができる。したがって、乳幼児１およびその乳幼児１の養育者のいずれにも負担の少ない乳幼児１のスリープトレーニングを実現できる可能性が高いという効果が得られる。
【００５７】
（２）乳幼児起床支援システム１０において、睡眠状況データ８０は、センサデータと入力データとのうちの、少なくとも一方を含む。センサデータは、生体センサが乳幼児１の睡眠および覚醒に関する状態を検出することによって生成される。入力データは、ユーザが乳幼児１の睡眠および覚醒に関する情報を、入力インタフェース１５に含まれるボタン１５６および１５７を用いて入力することによって生成される、乳幼児１の入眠日時および起床日時のデータである。睡眠状況データ８０が簡便かつ正確に入力され得るという効果が得られる。
【００５８】
（３）乳幼児起床支援システム１０において、睡眠状況データ８０は、乳幼児１が入眠した入眠日時と、乳幼児１が起床した起床日時とのうちの、少なくとも一つを表すデータを含む。睡眠状況データ８０が乳幼児１の起床日時を表すデータを含むときは、過去複数日間の起床時刻の一日毎のズレに基づいて、そのズレが累積される前に、乳幼児１の推奨起床日時を算出することができる。睡眠状況データ８０が、乳幼児１が入眠した入眠日時と、乳幼児１の起床日時を表すデータとを含むときは、睡眠状況データ８０の自己相関係数を用いて判定される過去複数日間の起床時刻の一日毎のズレに基づいて、そのズレが累積される前に、乳幼児１の推奨起床日時を算出することができるという効果が得られる。
【００５９】
（４）乳幼児起床支援システム１０は、生成部１１３により生成される推奨起床日時を通知する通知メッセージ１４１２を、タッチパネル１４１に表示される画面およびスピーカーから発せられる音声のうちの少なくとも一方を介して出力する出力装置１４をさらに有する。乳幼児１の入眠日時のデータが睡眠状況データ８０に含まれるとき、出力装置１４は、乳幼児１の入眠日時に通知メッセージ１４１２を出力する。乳幼児１の入眠日時にボタン１５６を押すユーザは、そのボタン１５６の周辺に設けられているタッチパネル１４１に表示される画面を介して出力される通知メッセージ１４１２を視認しやすく、乳幼児１の推奨起床日時を知ることができるという効果が得られる。
【００６０】
（５）乳幼児起床支援システム１０において、複数日分の睡眠状況データ８０は、少なくとも３日分の睡眠状況データである。例えば、図４（Ａ）を用いて説明したように、過去３日間における乳幼児１の起床時刻の一日毎のズレが２回連続で生じていることを契機として、プロセッサ１１の算出部１１２は、乳幼児１の起床時刻のズレが継続的に発生する傾向にあると判定することが可能である。図４（Ｂ）或いは図５に示す例においても同様に、過去３日間における乳幼児１の睡眠状況データ８０により、プロセッサ１１の算出部１１２は、乳幼児１の起床時刻のズレが継続的に発生する傾向にあると判定することが可能である。少ない日数分の睡眠状況データ８０は、ストレージ１６の容量が限られている場合に適し、かつ算出部１１２が乳幼児１の推奨起床日時を算出する際の計算量を削減できるという効果が得られる。
【００６１】
（６）乳幼児起床支援システム１０はＬＥＤを含む起床促進装置７０をさらに有する。プロセッサ１１は設定部１１４をさらに含む。起床促進装置７０は、発光したＬＥＤの光７００が乳幼児１に照射されるようにすることで、乳幼児１の睡眠環境を変動させる。こうして起床促進装置７０は、乳幼児１の睡眠環境を変動させることによって乳幼児１の起床が促されるように、ＬＥＤの発光開始という起床促進動作を発動する。設定部１１４は、起床促進装置７０による起床促進動作が発動する発動日時を設定する。乳幼児１の養育者が乳幼児１の起床を促す動作を自ら行う必要が無く、養育者の負担を軽減できるという効果が得られる。
【００６２】
（７）乳幼児起床支援システム１０は、起床促進装置７０による起床促進動作が発動する発動日時を推奨起床日時および任意の起床日時のいずれか一方に応じた日時にすることを指示する指示情報を入力可能なボタン１５１，１５２および１５３を含む入力インタフェース１５をさらに有する。プロセッサ１１の取得部１１１は、入力インタフェース１５に入力される指示情報を取得する。プロセッサ１１の設定部１１４は、取得部１１１によって取得される指示情報に基づいて発動日時を設定する。乳幼児１のスリープトレーニングを優先したい場合と、乳幼児１の養育者が遅い時刻に起床することを考慮する場合との、両方の場合に乳幼児起床支援システム１０を適用することができるため、乳幼児１のみならずその乳幼児１の養育者にとっても負担が少ないという効果が得られる。
【００６３】
（８）乳幼児起床支援システム１０において、起床促進装置７０は少なくともＬＥＤを含む。起床促進装置７０による起床促進動作は、起床促進動作が発動する発動日時にＬＥＤの発光が開始されることによって、発光したＬＥＤの光７００が乳幼児１に照射されるようにすることで、乳幼児１の睡眠環境を変動させる動作である。自動的にかつ安全に乳幼児１の起床が促されるという効果が得られる。
【００６４】
（９）乳幼児起床支援システム１０において、起床促進装置７０による起床促進動作が発動する発動日時に発光が開始されるＬＥＤから出射される光７００の色温度は、４２００Ｋ以上６５００Ｋ以下である。朝から昼までの午前中の自然光と同様の色温度の光７００が照射されることによって、乳幼児１にとって負担の少ない起床を促すことができるという効果が得られる。
【００６５】
（１０）乳幼児起床支援システム１０において、ＬＥＤから出射される光７００の輝度は、起床促進装置７０による起床促進動作が発動する発動日時から時間の経過とともに増大する。午前中の自然光の輝度変化を模倣した光７００が照射されることによって、乳幼児１にとって負担の少ない起床を促すことができるという効果が得られる。
【００６６】
（１１）乳幼児起床支援システム１０において、プロセッサ１１の算出部１１２は、前回の起床時刻のデータを含む複数日分の睡眠状況データ８０と、複数日分の睡眠状況データ８０の少なくとも一日毎のズレと、所定の目標起床時刻７：００とに基づいて、乳幼児１の推奨起床日時を算出する。推奨起床日時が所定の目標起床時刻７：００に近づけられることで、乳幼児１にとって負担の少ないスリープトレーニングを実現できる可能性が高いという効果が得られる。
【００６７】
次のような変形も本発明の範囲内であり、以下に示す変形例の一つ、もしくは複数を上述の実施形態と組み合わせることも可能である。
【００６８】
（１）上述した一実施の形態において、乳幼児１が入眠した入眠日時および乳幼児１が起床した起床日時のデータが、睡眠状況データ８０としてプロセッサ１１の取得部１１１によって取得され、ストレージ１６に蓄積されることとした。しかし、睡眠状況データ８０は、乳幼児１の養育者が乳幼児１を寝かしつける行為を開始する寝かしつけ開始日時をさらに含むこととしてもよい。乳幼児１の寝かしつけ開始日時は、乳幼児１の入眠日時および起床日時と同様にして取得部１１１により取得され、ストレージ１６に蓄積される。すなわち、乳幼児１の養育者であるユーザが入力インタフェース１５を操作することによって、入力インタフェース１５の操作信号と、クロック回路１３により供給される時刻データとが対応付けられたデータが、養育者が乳幼児１を寝かしつける行為を開始する寝かしつけ開始日時のデータとして、ストレージ１６に蓄積される。
【００６９】
図９は、本変形例の乳幼児起床支援システム１０が有する入力インタフェース１５および出力装置１４の構成例を示す図である。図９には、図２（Ａ）に示す構成がすべて含まれ、さらに、操作用のボタン１５５が入力インタフェース１５として設けられている。図９において、図２（Ａ）と共通する符号が付された構成要素については、同様の機能が備えられているため、説明を省略する。
【００７０】
養育者等であるユーザは、ボタン１５５を押すことにより、養育者が乳幼児１を寝かしつける行為を開始したことについての情報を入力することができる。養育者が乳幼児１を寝かしつける行為を開始したタイミングでユーザがボタン１５５を押すと操作信号が発生し、その操作信号とクロック回路１３により供給される時刻データとが対応付けられたデータが生成され、そのデータが、養育者が乳幼児１を寝かしつける行為を開始する寝かしつけ開始日時のデータとして入力され、プロセッサ１１の取得部１１１によって取得される。取得部１１１は、寝かしつけ開始日時のデータをストレージ１６に蓄積する。
【００７１】
取得部１１１は、養育者が乳幼児１を寝かしつける行為を開始する寝かしつけ開始日時と、乳幼児１が入眠した入眠日時とに基づいて、養育者が乳幼児１を寝かしつけるのに要した時間、すなわち寝かしつけ所要時間を得ることができる。寝かしつけ所要時間が、例えばその平均値よりも長くなった場合、養育者は乳幼児１を無理に寝かしつけようとしている事象が生じている可能性が考えられる。そのような場合においては、乳幼児１にかかる負担が増している可能性がある。こうした負担を、乳幼児１の推奨起床日時を補正することにより軽減できるのが好ましい。例えば、前回の寝かしつけ所要時間と、所定期間における寝かしつけ所要時間の平均値との差として得られる時間だけ、乳幼児１の推奨起床日時を繰り下げる補正を行うことによって、乳幼児１にとって負担の少ない起床を実現できる可能性がある。
【００７２】
（２）上述した一実施の形態において、乳幼児１が入眠した入眠日時および乳幼児１が起床した起床日時のデータが、睡眠状況データ８０としてプロセッサ１１の取得部１１１によって取得され、ストレージ１６に蓄積されることとした。しかし、乳幼児１は、夜に入眠してから朝に起床するまでの間に、夜泣きをすることがあるので、その夜泣きの時間を考慮することによって、フリーランの傾向が検出されやすくなることが考えられる。
【００７３】
図１０は、本変形例の乳幼児起床支援システム１０の取得部によって、乳幼児１の発声データが、睡眠状況データ８０の一種として取得される様子を示す図である。発声センサ２０は、乳幼児１の発声をマイクロホンで収集し、電気信号による時系列の発声データに変換する。乳幼児１が入眠日時から起床日時までの間に発声している時間は、乳幼児１の夜泣きの時間と考えられる。発声センサ２０は、発声データを、Ｂｌｕｅｔｏｏｔｈ（登録商標）等の無線通信２００を介して、乳幼児起床支援システム１０へ出力する。発声データは、乳幼児起床支援システム１０の入力インタフェース１５を介して、プロセッサ１１の取得部１１１によって取得され、睡眠状況データ８０としてストレージ１６に蓄積される。
【００７４】
取得部１１１によって取得された乳幼児１の発声データに基づき、乳幼児１の発声の時間、すなわち夜泣きの時間を乳幼児１が覚醒している期間として、乳幼児１の睡眠状況データ８０を補正することによって、フリーランの傾向が検出されやすくなることが考えられる。こうした補正が行われた乳幼児１の睡眠状況データ８０を用いて、算出部１１２が、図５に示す乳幼児１の複数日分の睡眠状況データ８０の自己相関係数を算出することによって、複数日分の睡眠状況データ８０の一日毎のズレを算出し、乳幼児１の推奨起床日時を算出する。
【００７５】
（３）上述した一実施の形態および変形例において、乳幼児起床支援システム１０は、物理的に一つのハードウェアとして構成されることとしたが、その構成に限られない。図１１は、本変形例の乳幼児起床支援システム１０を構成する電子機器１００および起床促進装置７０のそれぞれの構成を示す図である。図１１においては、図１に示す乳幼児起床支援システム１０から起床促進装置７０が独立のハードウェアとして分離し、起床促進装置７０以外の残された機能ブロックが電子機器１００を構成している。電子機器１００と起床促進装置７０とは、Ｂｌｕｅｔｏｏｔｈ（登録商標）等の無線通信を介して互いに接続されている。
【００７６】
電子機器１００は、プロセッサ１０１、メモリ１２、クロック回路１３、出力装置１４、入力インタフェース１５、ストレージ１６および通信モジュール１０８を有する。プロセッサ１０１は、メモリ１２に格納されているコンピュータプログラムを起動することによって、取得部１１１と算出部１１２と生成部１１３と設定部１１４とを、論理的に有する。図１１において、図１と同一の符号を付した機能ブロックが果たす機能は、上述した同一の機能であるため、説明を省略する。通信モジュール１０８は上述した起床促進装置７０との無線通信に用いられる。
【００７７】
起床促進装置７０は、プロセッサ７１、メモリ７２、クロック回路７３、ＬＥＤ７４および通信モジュール７５を有する。プロセッサ７１は、メモリ７２に格納されているコンピュータプログラムを起動することによって、設定管理部７１１と発動制御部７１２とを、論理的に有する。設定管理部７１１は、電子機器１００のプロセッサ１０１に含まれる設定部１１４によって設定された、起床促進装置７０による起床促進動作が発動する発動日時を、通信モジュール７５を介して取得し、管理する。設定管理部７１１が、クロック回路７３により供給される時刻データに基づき、起床促進装置７０による起床促進動作が発動する発動日時が到来したことを検出すると、発動制御部７１２は、ＬＥＤ７４の発光を開始させる。
【００７８】
乳幼児１が起床した際にユーザが電子機器１００の入力インタフェース１５を操作すると、電子機器１００のプロセッサ１０１は、通信モジュール１０８を介して乳幼児１が起床した旨を通知する信号を起床促進装置７０へ送信する。この信号を、通信モジュール７５を介して受信した起床促進装置７０において、プロセッサ７１の発動制御部７１２は、ＬＥＤ７４の発光を停止させる。
【００７９】
図１２は、図１１に示す電子機器１００が有する入力インタフェース１５および出力装置１４の構成および表示内容の例を示す図である。図１２において、図２および図９と同一の符号を付した機能ブロックが果たす機能は、上述した同一の機能であるため、説明を省略する。図１２（Ａ）において、操作用のボタン１５５，１５６および１５７は、タッチパネル１４１に画像として表示されている。さらに、過去４日間の睡眠状況データの履歴表示１０４１もタッチパネル１４１に設けられている。ユーザは、過去４日間の睡眠状況データの表示１０４１を参照することによって、乳幼児１にフリーランの傾向が生じていることに、より気づきやすい。
【００８０】
図１２（Ｂ）において、タッチパネル１４１には、図２および図９と同様に、通知メッセージ１４１１，１４１２および１４１３が表示されている。通知メッセージ１４１１により通知される、予めユーザにより設定されたＬＥＤ発光開始日時設定値は、ユーザが入力欄１５５１を押すことにより、任意の日時に変更され得る。通知メッセージ１４１３により通知される、ＬＥＤ発光開始日時設定値を推奨起床日時に変更するか否かについての問い合わせに対し、変更する場合は、ユーザが入力欄１５５２を押すことにより、ＬＥＤ発光開始日時設定値が推奨起床日時に変更され得る。
【００８１】
（４）上述した一実施の形態および変形例において、乳幼児起床支援システム１０は、スタンドアローン型システムとして構成されることとしたが、その構成に限られない。図１３は、本変形例の乳幼児起床支援システム１０を構成するサーバ４０、電子機器３００および起床促進装置７０を示すとともに、それぞれの構成を示す図である。図１３においては、図１１に示す電子機器１００に含まれているメモリ１２、ストレージ１６、取得部１１１、算出部１１２、生成部１１３および設定部１１４が、サーバ４０に配置されている。
【００８２】
図１３（Ａ）において、電子機器３００と、起床促進装置７０と、サーバ４０とが、通信ネットワーク３０を介して互いに接続されている。図１３（Ｂ）に示す起床促進装置７０は、図１１に示す起床促進装置７０と同一の構成であるため、説明を省略する。図１３（Ｃ）において、サーバ４０は、プロセッサ４１、メモリ１２、ストレージ１６および通信モジュール４８を有する。プロセッサ４１は、メモリ１２に格納されているコンピュータプログラムを起動することによって、取得部１１１と算出部１１２と生成部１１３と設定部１１４とを、論理的に有する。図１３（Ｃ）において、図１および図１１と同一の符号を付した機能ブロックが果たす機能は、上述した同一の機能であるため、説明を省略する。通信モジュール４８は、電子機器３００および起床促進装置７０との、通信ネットワーク３０を介した通信に用いられる。
【００８３】
図１３（Ｄ）において、電子機器３００は、プロセッサ３０１、メモリ３０２、クロック回路１３、出力装置１４、入力インタフェース１５および通信モジュール３０８を有する。プロセッサ３０１は、メモリ３０２に格納されているコンピュータプログラムを起動することによって、情報処理部３１１を論理的に有する。図１３（Ｄ）において、図１および図１１と同一の符号を付した機能ブロックが果たす機能は、上述した同一の機能であるため、説明を省略する。通信モジュール３０８は、電子機器３００および起床促進装置７０との、通信ネットワーク３０を介した通信に用いられる。
【００８４】
プロセッサ３０１の情報処理部３１１は、入力インタフェース１５を介して入力される複数日分の睡眠状況データ８０を、通信モジュール３０８を介してサーバ４０へ送信する。乳幼児が入眠した際および起床した際にユーザが入力インタフェース１５を操作することによって、入力インタフェース１５の操作信号と、クロック回路１３により供給される時刻データとが対応付けられたデータが、乳幼児が入眠した入眠日時および乳幼児が起床した起床日時のデータとして、すなわち睡眠状況データ８０として、サーバ４０へ送信される。睡眠状況データ８０は、サーバ４０のプロセッサ４１に含まれる取得部１１１によって取得され、ストレージ１６に蓄積される。
【００８５】
サーバ４０のプロセッサ４１に含まれる生成部１１３によって生成された通知メッセージ１４１１，１４１２および１４１３は、通信モジュール４８を介して電子機器３００へ送信される。通知メッセージ１４１１，１４１２および１４１３は、電子機器３００のプロセッサ３０１に含まれる情報処理部３１１により、通信モジュール３０８を介して取得され、出力装置１４へ出力される。
【００８６】
起床促進装置７０による起床促進動作が発動する発動日時として、推奨起床日時および任意の起床日時のいずれか一方が設定されることを指示する指示情報は、ユーザにより入力インタフェース１５を介して電子機器３００へ入力される。入力された指示情報は、サーバ４０のプロセッサ４１に含まれる取得部１１１により、通信モジュール４８を介して取得される。プロセッサ４１に含まれる設定部１１４は、起床促進装置７０による起床促進動作が発動する発動日時を、取得部１１１によって取得された指示情報に基づいて設定する。
【００８７】
本発明の特徴的な機能を損なわない限り、本発明は、上述した各実施の形態および各変形例における構成に何ら限定されない。
【００８８】
次の特許文献の開示内容は引用文としてここに組み込まれる。
日本国特開２０２０−０９８８５５号公報
国際公開第２０１３／０６１９４２号
日本国特開２０２０−０８７８９７号公報
【符号の説明】
【００８９】
１  乳幼児、１０  乳幼児起床支援システム、１１  プロセッサ、
１２  メモリ、１３  クロック回路、１４  出力装置、
１５  入力インタフェース、１６  ストレージ、２０  発声センサ、
３０  通信ネットワーク、３５  コンピュータプログラム提供サーバ、
４０  サーバ、４１  プロセッサ、４８  通信モジュール、
５０  記録媒体、７０  起床促進装置、７１  プロセッサ、７２  メモリ、
７３  クロック回路、７４  ＬＥＤ、７５  通信モジュール、
８０  睡眠状況データ、８１，８３  グラフ、９１，９２  テーブル、
１００  電子機器、１０１  プロセッサ、１０８  通信モジュール、
１１１  取得部、１１２  算出部、１１３  生成部、１１４  設定部、
１４１  タッチパネル、
１５１，１５２，１５３，１５５，１５６，１５７  ボタン、
２００  無線通信、３００  電子機器、３０１  プロセッサ、
３０２  メモリ、３０８  通信モジュール、３１１  情報処理部、
７００  光、７１１  設定管理部、７１２  発動制御部、
１０４１  履歴表示、１４１１，１４１２，１４１３  通知メッセージ、
１４１４  矩形枠、１５５１，１５５２  入力欄
【要約】
乳幼児起床支援システムは、乳幼児の睡眠および覚醒の時系列変化に関する複数日分の睡眠状況データを取得する取得部と、前記複数日分の睡眠状況データの、少なくとも一日毎のズレに基づいて、前記乳幼児の推奨起床日時を算出する算出部と、前記算出部により算出された前記推奨起床日時を通知する通知メッセージを生成する生成部とを含む。【図１】
0006937063.tif 000002
【図２】
0006937063.tif 000003
【図３】
0006937063.tif 000004
【図４】
0006937063.tif 000005
【図５】
0006937063.tif 000006
【図６】
0006937063.tif 000007
【図７】
0006937063.tif 000008
【図８】
0006937063.tif 000009
【図９】
0006937063.tif 000010
【図１０】
0006937063.tif 000011
【図１１】
0006937063.tif 000012
【図１２】
0006937063.tif 000013
【図１３】
0006937063.tif 000014